(57)【要約】【課題】容器に対して簡単に装着できるとともに、開封前は容器の未使用を明確に把握できて不正行為の防止に役立ち、また、使用後の容器からの分離も容易で容器との分別処理を簡単に行える封緘式キャップを提案する。【解決手段】キャップ本体２の下端面から破断可能な連結手段を介して抜止め筒３を垂下し、容器口頸部５外周に形成した環状突部１０の下面部に、抜止め筒３内面より周方向複数突設した係合突片１３先端部を係合させて上記抜止め筒３を上記口頸部５に係合可能に形成し、連結手段を破断しない限りキャップ本体の抜け出しが出来ないように構成している。また、各係合突片１３が、環状突部１０下方に於いて下方への反転が可能な突出幅を備え、使用後の抜止め筒３の容易な取り外しが可能に構成している。【選択図】図１
2004262473.tif 000002
【特許請求の範囲】
【請求項１】
キャップ本体２の下端面から破断可能な連結手段を介して抜止め筒３を垂下し、容器４の口頸部５に対するキャップ本体螺着時に、係合手段を介して上記抜止め筒３を上記口頸部５に係合可能に形成した封緘式キャップであって、上記係合手段は、上記口頸部５外周に形成した環状突部１０を、上記抜止め筒３内面より薄肉部１２を介して周方向複数突設した係合突片１３が上方折曲状態で乗り越えて、各係合突片１３先端部を環状突部１０下面部に係合させた係合手段であり、上記各係合突片１３が、上記環状突部１０下方に於いて下方への反転が可能な突出幅を備えていることを特徴とする封緘式キャップ。
【請求項２】
上記キャップ本体２と抜止め筒３との間に、螺着回動方向で係合し、螺脱回動方向で非係合のラチェット機構を設けてなる請求項１記載の封緘式キャップ。
【請求項３】
上記各係合突片１３が、先端部に凹設した係合凹部１４を上記環状突部１０の下端コーナー部ａに係合可能に構成してなる請求項１記載の封緘式キャップ。
【発明の詳細な説明】
【０００１】
【発明の属する技術分野】
本発明は封緘式キャップに関する。
【０００２】
【従来の技術】
容器の口頸部に被着させて、容器中身の使用前には未開封であることが容易に判る所謂バージンシール機能を備えた封緘式キャップが知られている（例えば、特許文献１或いは特許文献２参照）。
【０００３】
上記前者は、下端開口の有頂筒状をなすキャップ本体の下端に破断部を介してバンド部を延設したもので、キャップ本体の容器口頸部に対する螺着時に、バンド部内周に突周設した係合突条を、容器口頸部外周に突周設した係止突条下面に乗り越え係合させて装着したものである。上記バンド部等の存在により破断部を破断しないかぎりキャップ本体を螺脱することができないため、未使用であることが一目でわかり、いたずらの防止、商品の信頼性確保等に有効に働くものであり、また、使用に際してはキャップを螺脱すれば破断部が破断して開封できるものである。
【０００４】
また、後者は、前者の場合のバンド部内周面に、下方に斜設された周設リブを設け、この周設リブから先端にガイド片が突設されたラチェットを周方向複数突設している。そして、口頸部外周に係止突条を周設した容器に対し、螺着時には各ラチェットが係止突条を乗り越えてその下面に当接係止され、破断部を破断しないかぎりキャップ本体が螺脱出来ないように構成している。
【０００５】
また、廃棄物の有効利用等の目的で廃棄物の分別処理が推進されており、容器を形成するガラス等と合成樹脂製のキャップとを分離して廃棄することが要望されている。上記前者の場合にはこの様な要望に答えられるべく配慮されていないが、後者のものは、バンド部にスリット及び溝を形成し破断可能に構成して、使用後にこのバンド部を容器から分離可能に構成している。
【０００６】
【特許文献１】
特開２００１−１９９４６０号公報（第２−６頁，図１）
【特許文献２】
特開平１０−３２４３５３号公報（第２−５頁，図１）
【０００７】
【発明が解決しようとする課題】
上記各キャップは、容器に対して容易に装着することができ、また、不正に開封された場合には外観から不正行為が確認されるので容器内容物の品質保証が確保される等の効果を得られるものではあるが、上記した如く前者は分別処理に考慮が払われておらず、一般には廃棄の際にバンド部を容器口頸部に装着したまま行われる。
【０００８】
また、後者の場合には破断できるようには構成されているものの、バンド部の切断は例えば指により引き裂くこととなり、溝の深さ等の誤差等により引き裂き難い場合があり、また、指の太い人には引き裂きの際の取り扱いも不便である。
【０００９】
本発明は上記した点に鑑みてなされたもので、従来品の如くのバージンシール機能を発揮でき、容器に対して簡単に装着できるとともに、使用後の容器からの分離もきわめて簡単な封緘式キャップを提案するものである。
【００１０】
【課題を解決するための手段】
本請求項１発明の封緘式キャップは、上記課題を解決するため、キャップ本体２の下端面から破断可能な連結手段を介して抜止め筒３を垂下し、容器４の口頸部５に対するキャップ本体螺着時に、係合手段を介して上記抜止め筒３を上記口頸部５に係合可能に形成した封緘式キャップであって、上記係合手段は、上記口頸部５外周に形成した環状突部１０を、上記抜止め筒３内面より薄肉部１２を介して周方向複数突設した係合突片１３が上方折曲状態で乗り越えて、各係合突片１３先端部を環状突部１０下面部に係合させた係合手段であり、上記各係合突片１３が、上記環状突部１０下方に於いて下方への反転が可能な突出幅を備えていることを特徴とする封緘式キャップとして構成した。
【００１１】
また、請求項２発明の封緘式キャップは、上記キャップ本体２と抜止め筒３との間に、螺着回動方向で係合し、螺脱回動方向で非係合のラチェット機構を設けてなる請求項１記載の封緘式キャップとして構成した。
【００１２】
また、請求項３発明の封緘式キャップは、上記各係合突片１３が、先端部に凹設した係合凹部１４を上記環状突部１０の下端コーナー部ａに係合可能に構成してなる請求項１記載の封緘式キャップとして構成した。
【００１３】
【発明の実施の形態】
以下、本発明の実施例の形態を図面を参照して説明する。
【００１４】
図面に示す如く本発明の封緘式キャップ１は合成樹脂により一体に形成されたもので、キャップ本体２と、抜止め筒３とを備えている。
【００１５】
キャップ本体２は、装着する容器４の口頸部５外周に螺着可能に構成した下端開口の有頂筒状をなすもので、具体的一例として、図示例の如く、内周面に螺条９を周設した周壁７の上端より頂壁８を延設して構成している。また、周壁７の下端部を肉厚に外方へ広げ、その外側下面より下方へ環状垂下部７ａを垂設している。また、容器４は、口頸部５外周に螺条９を周設し、該螺条９下方所定位置に環状突部１０を突周設している。環状突部１０は螺条９より突出幅を大きく形成し、後述する係合突片が上方折曲状態で圧接して乗り越えることができる如く構成している。
【００１６】
抜止め筒３は、キャップ本体２下端面から破断可能な連結手段を介して一体に垂下したもので、上記口頸部５に対するキャップ本体螺着時に、上記口頸部５に係合手段Ａを介して係合可能に構成している。抜止め筒３はその内周面がキャップ本体周壁７内周面より外方所定位置に位置する如く垂下させている。即ち、後述する係合突片が口頸部上部の螺条９部分を容易に通過でき、また、上記した如く上方折曲状態で環状突部１０と圧接して乗り越えることができる内径としている。
【００１７】
上記連結手段としては、装着後キャップ本体２を螺脱する際に、口頸部５に係合固定した抜止め筒３との間で破断できる連結状態であれば種々の形態を採用でき、図示例では、キャップ本体周壁７の上記垂下部７ａ下端面と、抜止め筒３上端面との間に若干のスペースをあけ、また、垂下部７ａと抜止め筒３の内面相互を連結する細棒状の連結片１１を周方向間隔をあけて複数設けることにより構成している。
【００１８】
上記係合手段Ａは、上記環状突部１０を、上記抜止め筒３内面より薄肉部１２を介して周方向複数突設した係合突片１３が上方折曲状態で乗り越えて、各係合突片１３先端部を環状突部１０下面部に係合させることにより、装着した抜止め筒３の上方への抜け出しを防止する。各係合突片１３は、例えば図２に示す如く、それぞれ内方へ水平に突設した状態で一体に形成することができ、容器４への装着時に薄肉部１２から上方へ折れ曲がった状態となる。
【００１９】
各係合突片１３の先端部と環状突部１０下面部との係合状態は、抜止め筒３の上方への抜け出しを防止できる形態であれば種々の形態を採用でき、図示例では、各係合突片１３の先端部に凹設した横溝状の係合凹部１４を環状突部１０の下端コーナー部ａに係合させている。或いは図示しないが、環状突部１０の下面部に、外方及び下方を開放した下向き段部を形成し、該段部に各係合突片１３の先端部を係合させる如く構成しても良い。
【００２０】
本発明に於いて各係合突片１３が、上記環状突部１０下方に於いて下方への反転が可能な突出幅を備えている。即ち、抜止め筒３を装着後離脱する際に、一端環状突部１０下方に下げた後再び上昇させた際に、各係合突片１３が環状突部１０下面に押されて下方へ回動する余裕がある長さに突出幅を設定する。具体的には、例えば図１に二点鎖線で示す如く、係合突片１３が水平状態の時にその先端が口頸部外面と隙間が生じる程度の長さ、或いは略同じ程度の長さが上げられる。
【００２１】
更に、キャップ本体２と抜止め筒３との間には、螺着回動方向で係合し、螺脱回動方向で非係合のラチェット機構を設けている。図示例では、キャップ本体２下面に螺着回動方向の端面が垂直状面をなし、螺脱回動方向の側端面が傾斜面をなす逆台形状の突起１５垂設し、該突起１５と相似形状をなす凹部１６を抜止め筒３上面対応位置に設け、突起１５を凹部１６に嵌合させている。従って、キャップ本体２を口頸部５に螺着する際には、突起１５の垂直状面と凹部の垂直状面とが係合して抜止め筒３を螺着回動方向へ回動させ、連結手段の不都合な破断を阻止する如く構成している。
【００２２】
上記の如く構成した封緘式キャップ１を使用する場合に付いて説明する。まず容器４の口頸部５を下端開口より挿通して、キャップ本体２を口頸部５に螺着させる。この際、抜止め筒３の係合突片１３は、図５に示す如く、成形時の内方を向いた状態で通過する。次いでなおも螺動下降させると各係合突片１３が上記環状突部１０を乗り越えてその下端コーナー部ａに係合凹部１４を係合して螺着が終了する。この乗り越えの際には各係合突片１３は環状突部１０により薄肉部１２の部分から略垂直状に上方へ折り曲げられた状態で乗り越える。この状態で運搬、保管、陳列等を行い、破断可能な連結手段を破断しないかぎりキャップ本体２を螺脱はできず、一見して未使用を認識できる。尚、螺着の際には上記ラチェット機構の作用で破断可能な連結手段に負担ががかからずに螺着することができる。
【００２３】
内容物を使用するために開封する場合には、単にキャップ本体２を螺脱方向へ回動するだけで良い。そうすることにより、抜止め筒３は各係合突片１３によりそれ以上の上昇を阻止される。一方、キャップ本体２のみが螺動上昇するため各連結片１１が破断して口頸部５上端を開口する。また、内容物を使い終わって全体を廃棄する場合には、図６に示す如く、抜止め筒３を一端環状突部１０下方へ移行させた後上昇させれば、各係合突片１３は環状突部１０の下面により下方へ反転して容易に環状突部１０部分を通過し、そのまま抜止め筒３を上方へ引き上げれば容易に外れる。尚、この抜止め筒３は開封後すぐに除去廃棄することも当然可能である。
【００２４】
【発明の効果】
以上説明した如く、本発明の封緘式キャップは、既述構成としたことにより、容器に対して簡単に装着できるとともに、開封後の容器からの取り外しも簡単で、特に抜止め筒は従来品の如く引き裂く必要がなく簡単に取り外すことができる。また、合成樹脂の一体成形も可能であるため、製造が容易である等の利点を有する。当然、外観から不正行為が確認される等の従来品の持つ特徴も兼ね備えるものである。
【００２５】
また、請求項２発明の封緘式キャップは、容器に対する螺着時に破断可能な連結手段に損傷を及ぼすことなく確実に装着することができる利点を備えている。
【００２６】
また、請求項３発明の封緘式キャップは、各係合突片が上方折曲状態での環状突部乗り越え直後に無理なくその下端コーナー部に係合できるため、取り外しのために各係合突片を比較的短く形成しても、確実な抜け出し防止を図れるものである。
【図面の簡単な説明】
【図１】本発明キャップを容器に装着した状態を示す要部断面図である。
【図２】同実施例の半断面図である。
【図３】同実施例の正面図である。
【図４】同実施例の底面図である。
【図５】同実施例に於いて容器に装着する状態を示す半断面図である。
【図６】同実施例に於ける抜止め筒を取り外す際の説明図である。
【符号の説明】
２…キャップ本体，３…抜止め筒，４…容器，５…口頸部，
１０…環状突部，１２…薄肉部，１３…係合突片，１４…係合凹部，Ａ…係合手段，
ａ…コーナー部
【図１】
2004262473.tif 000003
【図２】
2004262473.tif 000004
【図３】
2004262473.tif 000005
【図４】
2004262473.tif 000006
【図５】
2004262473.tif 000007
【図６】
2004262473.tif 000008